(57)【要約】【課題】マスター側スレーブ側を問わず、ある制御部に関係してそれが有する表示内容データは、その制御部のみが有していればよい。すなわち、マスター側スレーブ側を問わず、ある制御部が有する表示内容データは、それと同様の内容をマスター側である上位の制御部に持たせる必要がない。【解決手段】マスター側の制御部が保守サービス用メニューの表示において必要とした場合、スレーブ側の制御部が保持する表示内容データを、マスター側の制御部によるコマンド要求へ対するスレーブ側の制御部からのレスポンス返答という形式にて、マスター側の制御部は取得できる。【選択図】      図２
2007058761.tif 000002
【特許請求の範囲】
【請求項１】
通信用のインターフェースにより接続され、マスターとスレーブの関係を有する複数の制御部により構成され、各制御部に選択的に操作用の端末が接続されるシステムにおいて、
上記マスターの制御部に接続される操作用の端末により、スレーブの制御部のメニュー画面データを選択する選択手段と、
この選択手段による選択により、スレーブの保守用メニューの表示内容データ要求コマンドを、マスターの制御部からスレーブの制御部へ送信する送信手段と、
この送信手段の送信に応答して供給されるスレーブの保守用メニューの表示内容データに基づいて上記マスターの制御部に接続される操作用の端末にてスレーブの保守用メニューを表示する表示手段と、
を設けたことを特徴とするシステム。
【請求項２】
通信用のインターフェースにより接続され、マスターとスレーブの関係を有する複数の制御部により構成され、各制御部に選択的に操作用の端末が接続されるシステムにおいて、
上記マスターの制御部に接続される操作用の端末により、スレーブの制御部のメニュー画面データを選択する選択手段と、
この選択手段による選択により、スレーブの保守用メニューの表示内容データ要求コマンドを、マスターの制御部からスレーブの制御部へ送信する送信手段と、
この送信手段により供給されるスレーブの保守用メニューの表示内容データ要求コマンドに基づいてあらかじめ記憶されている保守用メニューの表示内容データを読出し、スレーブの制御部からマスターの制御部へ返送する返送手段と、
この返送手段により返送されるスレーブの保守用メニューの表示内容データに基づいて上記マスターの制御部に接続される操作用の端末にてスレーブの保守用メニューを表示する表示手段と、
を設けたことを特徴とするシステム。
【請求項３】
通信用のインターフェースにより接続され、マスターとスレーブの関係を有する複数の制御部により構成され、各制御部に選択的に操作用の端末が接続されるシステムにおいて、
上記マスターの制御部に接続される操作用の端末により、スレーブの制御部のメニュー画面データを選択する第１の選択手段と、
この第１の選択手段による選択により、スレーブの保守用メニューの表示内容データ要求コマンドを、マスターの制御部からスレーブの制御部へ送信する第１の送信手段と、
この第１の送信手段の送信に応答して供給されるスレーブの保守用メニューの表示内容データに基づいて上記マスターの制御部に接続される操作用の端末にてスレーブの保守用メニューを表示する第１の表示手段と、
この第１の表示手段により表示されるスレーブの保守用メニューとしてのスレーブでの実行機能を選択する第２の選択手段と、
この第２の選択手段による選択により、スレーブの保守用メニューの選択項目の実行要求コマンドを、マスターの制御部からスレーブの制御部へ送信する第２の送信手段と、
この第２の送信手段の送信に応答して供給されるスレーブの保守用メニューにおける選択項目の実行結果を上記マスターの制御部に接続される操作用の端末にて表示する第２の表示手段と、
を設けたことを特徴とするシステム。
【請求項４】
通信用のインターフェースにより接続され、マスターとスレーブの関係を有する複数の制御部により構成され、各制御部に選択的に操作用の端末が接続されるシステムにおいて、
上記マスターの制御部に接続される操作用の端末により、スレーブの制御部のメニュー画面データを選択する第１の選択手段と、
この第１の選択手段による選択により、スレーブの保守用メニューの表示内容データ要求コマンドを、マスターの制御部からスレーブの制御部へ送信する第１の送信手段と、
この第１の送信手段により供給されるスレーブの保守用メニューの表示内容データ要求コマンドに基づいてあらかじめ記憶されている保守用メニューの表示内容データを読出し、スレーブの制御部からマスターの制御部へ返送する第１の返送手段と、
この第１の返送手段により返送されるスレーブの保守用メニューの表示内容データに基づいて上記マスターの制御部に接続される操作用の端末にてスレーブの保守用メニューを表示する第１の表示手段と、
この第１の表示手段により表示されるスレーブの保守用メニューとしてのスレーブでの実行機能を選択する第２の選択手段と、
この第２の選択手段による選択により、スレーブの保守用メニューの選択項目の実行要求コマンドを、マスターの制御部からスレーブの制御部へ送信する第２の送信手段と、
この第２の送信手段により供給されるスレーブの保守用メニューの選択項目の実行要求コマンドに基づいて保守用メニューにおける項目に対応する機能を実行し、この実行結果をレスポンスとしてスレーブの制御部からマスターの制御部へ返送する第２の返送手段と、
この第２の返送手段により返送されるスレーブの保守用メニューにおける選択項目の実行結果を上記マスターの制御部に接続される操作用の端末にて表示する第２の表示手段と、
を設けたことを特徴とするシステム。
【請求項５】
通信用のインターフェースにより接続され、マスターとスレーブの関係を有する複数の制御部により構成され、各制御部に選択的に操作用の端末が接続されるシステムにおける端末の画面表示方法において、
上記マスターの制御部に接続される操作用の端末により、スレーブの制御部のメニュー画面データを選択する選択工程と、
この選択工程による選択により、スレーブの保守用メニューの表示内容データ要求コマンドを、マスターの制御部からスレーブの制御部へ送信する送信工程と、
この送信工程の送信に応答して供給されるスレーブの保守用メニューの表示内容データに基づいて上記マスターの制御部に接続される操作用の端末にてスレーブの保守用メニューを表示する表示工程と、
を設けたことを特徴とするシステムにおける端末の画面表示方法。
【請求項６】
通信用のインターフェースにより接続され、マスターとスレーブの関係を有する複数の制御部により構成され、各制御部に選択的に操作用の端末が接続されるシステムにおける端末の画面表示方法において、
上記マスターの制御部に接続される操作用の端末により、スレーブの制御部のメニュー画面データを選択する選択工程と、
この選択工程による選択により、スレーブの保守用メニューの表示内容データ要求コマンドを、マスターの制御部からスレーブの制御部へ送信する送信工程と、
この送信工程により供給されるスレーブの保守用メニューの表示内容データ要求コマンドに基づいてあらかじめ記憶されている保守用メニューの表示内容データを読出し、スレーブの制御部からマスターの制御部へ返送する返送工程と、
この返送工程により返送されるスレーブの保守用メニューの表示内容データに基づいて上記マスターの制御部に接続される操作用の端末にてスレーブの保守用メニューを表示する表示工程と、
を設けたことを特徴とするシステムにおける端末の画面表示方法。
【請求項７】
通信用のインターフェースにより接続され、マスターとスレーブの関係を有する複数の制御部により構成され、各制御部に選択的に操作用の端末が接続されるシステムにおける端末の画面表示方法において、
上記マスターの制御部に接続される操作用の端末により、スレーブの制御部のメニュー画面データを選択する第１の選択工程と、
この第１の選択工程による選択により、スレーブの保守用メニューの表示内容データ要求コマンドを、マスターの制御部からスレーブの制御部へ送信する第１の送信工程と、
この第１の送信工程の送信に応答して供給されるスレーブの保守用メニューの表示内容データに基づいて上記マスターの制御部に接続される操作用の端末にてスレーブの保守用メニューを表示する第１の表示工程と、
この第１の表示工程により表示されるスレーブの保守用メニューとしてのスレーブでの実行機能を選択する第２の選択工程と、
この第２の選択工程による選択により、スレーブの保守用メニューの選択項目の実行要求コマンドを、マスターの制御部からスレーブの制御部へ送信する第２の送信工程と、
この第２の送信工程の送信に応答して供給されるスレーブの保守用メニューにおける選択項目の実行結果を上記マスターの制御部に接続される操作用の端末にて表示する第２の表示工程と、
を設けたことを特徴とするシステムにおける端末の画面表示方法。
【請求項８】
通信用のインターフェースにより接続され、マスターとスレーブの関係を有する複数の制御部により構成され、各制御部に選択的に操作用の端末が接続されるシステムにおける端末の画面表示方法において、
上記マスターの制御部に接続される操作用の端末により、スレーブの制御部のメニュー画面データを選択する第１の選択工程と、
この第１の選択工程による選択により、スレーブの保守用メニューの表示内容データ要求コマンドを、マスターの制御部からスレーブの制御部へ送信する第１の送信工程と、
この第１の送信工程により供給されるスレーブの保守用メニューの表示内容データ要求コマンドに基づいてあらかじめ記憶されている保守用メニューの表示内容データを読出し、スレーブの制御部からマスターの制御部へ返送する第１の返送工程と、
この第１の返送工程により返送されるスレーブの保守用メニューの表示内容データに基づいて上記マスターの制御部に接続される操作用の端末にてスレーブの保守用メニューを表示する第１の表示工程と、
この第１の表示工程により表示されるスレーブの保守用メニューとしてのスレーブでの実行機能を選択する第２の選択工程と、
この第２の選択工程による選択により、スレーブの保守用メニューの選択項目の実行要求コマンドを、マスターの制御部からスレーブの制御部へ送信する第２の送信工程と、
この第２の送信工程により供給されるスレーブの保守用メニューの選択項目の実行要求コマンドに基づいて保守用メニューにおける項目に対応する機能を実行し、この実行結果をレスポンスとしてスレーブの制御部からマスターの制御部へ返送する第２の返送工程と、
この第２の返送工程により返送されるスレーブの保守用メニューにおける選択項目の実行結果を上記マスターの制御部に接続される操作用の端末にて表示する第２の表示工程と、
を設けたことを特徴とするシステムにおける端末の画面表示方法。
【請求項９】
通信用のインターフェースにより接続され、マスターとスレーブの関係を階層構造で有する複数の制御部により構成され、各制御部に選択的に操作用の端末が接続されるシステムにおいて、
上記１階層目のマスターの制御部に接続される操作用の端末により、２階層目のスレーブの制御部のメニュー画面データを選択する選択手段と、
この選択手段による選択により、２階層目のスレーブの保守用メニューの表示内容データ要求コマンドを、１階層目のマスターの制御部から２階層目のスレーブの制御部へ送信する送信手段と、
この送信手段の送信に応答して供給される２階層目のスレーブの保守用メニューの表示内容データに基づいて上記１階層目のマスターの制御部に接続される操作用の端末にて２階層目のスレーブの保守用メニューを表示する表示手段と、
を設けたことを特徴とするシステム。
【発明の詳細な説明】
【技術分野】
【０００１】
この発明は、通信用のインターフェースにより接続され、マスターとスレーブの関係を有する複数の制御部により構成され、各制御部に選択的に操作用の端末が接続されるシステムとこのシステムにおける端末の画面表示方法に関する。
【背景技術】
【０００２】
従来、複数の制御部を有し、それを通信用Ｉ／Ｆでスター接続またはカスケード接続することにより装置全体を制御するシステムにおいて、各々の制御部に操作用端末を接続し、その制御部固有の機能を実行させる場面、例えば保守サービスなどを行う時がある。この時、マスター側の制御部に接続された操作用端末からスレーブ側の制御部固有の機能を呼び出し、それをスレーブ側の制御部に実行させる場合も考えられる。この場合において、マスター側の制御部に接続した操作用端末に表示され、実行可能な機能の概要を示す情報、例えば保守サービス用メニュー等の表示内容データはマスター側の制御部が持っており、マスター側の制御部とスレーブ側の制御部の間では機能の選択情報ならびにその実行結果のみが互いにやりとりされる。
【０００３】
このようにマスター側の制御部に接続された操作用端末に、メニュー等の表示内容データのうち、スレーブ側の制御部固有の機能呼び出しに関わる部分を表示するためには、その部分すなわちスレーブ側の制御部と同じ表示内容データをマスター側の制御部自体も持つことになる。
【０００４】
前述のようなシステムにおいて、呼び出される側すなわちスレーブ側の制御部固有の機能の概要を示す、メニュー等の表示内容データは、呼び出す側すなわちマスター側の制御部もそれと同じデータを持たなければならない。またこの場合、あるスレーブ側の制御部においてメニュー等の表示内容データに変更が生じた場合、マスター側の制御部が持つ同じデータにも変更が生じる。
【０００５】
このように同じ内容の情報がシステム内の各制御部に散在し、この情報に変更が生じればそれが上位にまで及ぶという問題がある。
【特許文献１】特開２００４−２０７７９９号公報
【発明の開示】
【発明が解決しようとする課題】
【０００６】
上記したように、同じ内容の情報がシステム内の各制御部に散在し、この情報に変更が生じればそれが上位にまで及ぶ問題を解消することができるシステムとシステムにおける端末の画面表示方法を提供することを目的とする。
【課題を解決するための手段】
【０００７】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する選択手段と、この選択手段による選択により、スレーブの保守用メニューの表示内容データ要求コマンドを、マスターの制御部からスレーブの制御部へ送信する送信手段と、この送信手段の送信に応答して供給されるスレーブの保守用メニューの表示内容データに基づいて上記マスターの制御部に接続される操作用の端末にてスレーブの保守用メニューを表示する表示手段とを有する。
【０００８】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する選択手段と、この選択手段による選択により、スレーブの保守用メニューの表示内容データ要求コマンドを、マスターの制御部からスレーブの制御部へ送信する送信手段と、この送信手段により供給されるスレーブの保守用メニューの表示内容データ要求コマンドに基づいてあらかじめ記憶されている保守用メニューの表示内容データを読出し、スレーブの制御部からマスターの制御部へ返送する返送手段と、この返送手段により返送されるスレーブの保守用メニューの表示内容データに基づいて上記マスターの制御部に接続される操作用の端末にてスレーブの保守用メニューを表示する表示手段とを有する。
【０００９】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する第１の選択手段と、この第１の選択手段による選択により、スレーブの保守用メニューの表示内容データ要求コマンドを、マスターの制御部からスレーブの制御部へ送信する第１の送信手段と、この第１の送信手段の送信に応答して供給されるスレーブの保守用メニューの表示内容データに基づいて上記マスターの制御部に接続される操作用の端末にてスレーブの保守用メニューを表示する第１の表示手段と、この第１の表示手段により表示されるスレーブの保守用メニューとしてのスレーブでの実行機能を選択する第２の選択手段と、この第２の選択手段による選択により、スレーブの保守用メニューの選択項目の実行要求コマンドを、マスターの制御部からスレーブの制御部へ送信する第２の送信手段と、この第２の送信手段の送信に応答して供給されるスレーブの保守用メニューにおける選択項目の実行結果を上記マスターの制御部に接続される操作用の端末にて表示する第２の表示手段とを有する。
【００１０】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する第１の選択手段と、この第１の選択手段による選択により、スレーブの保守用メニューの表示内容データ要求コマンドを、マスターの制御部からスレーブの制御部へ送信する第１の送信手段と、この第１の送信手段により供給されるスレーブの保守用メニューの表示内容データ要求コマンドに基づいてあらかじめ記憶されている保守用メニューの表示内容データを読出し、スレーブの制御部からマスターの制御部へ返送する第１の返送手段と、この第１の返送手段により返送されるスレーブの保守用メニューの表示内容データに基づいて上記マスターの制御部に接続される操作用の端末にてスレーブの保守用メニューを表示する第１の表示手段と、この第１の表示手段により表示されるスレーブの保守用メニューとしてのスレーブでの実行機能を選択する第２の選択手段と、この第２の選択手段による選択により、スレーブの保守用メニューの選択項目の実行要求コマンドを、マスターの制御部からスレーブの制御部へ送信する第２の送信手段と、この第２の送信手段により供給されるスレーブの保守用メニューの選択項目の実行要求コマンドに基づいて保守用メニューにおける項目に対応する機能を実行し、この実行結果をレスポンスとしてスレーブの制御部からマスターの制御部へ返送する第２の返送手段と、この第２の返送手段により返送されるスレーブの保守用メニューにおける選択項目の実行結果を上記マスターの制御部に接続される操作用の端末にて表示する第２の表示手段とを有する。
【００１１】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する選択工程と、この選択工程による選択により、スレーブの保守用メニューの表示内容データ要求コマンドを、マスターの制御部からスレーブの制御部へ送信する送信工程と、この送信工程の送信に応答して供給されるスレーブの保守用メニューの表示内容データに基づいて上記マスターの制御部に接続される操作用の端末にてスレーブの保守用メニューを表示する表示工程とを有する。
【００１２】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する選択工程と、この選択工程による選択により、スレーブの保守用メニューの表示内容データ要求コマンドを、マスターの制御部からスレーブの制御部へ送信する送信工程と、この送信工程により供給されるスレーブの保守用メニューの表示内容データ要求コマンドに基づいてあらかじめ記憶されている保守用メニューの表示内容データを読出し、スレーブの制御部からマスターの制御部へ返送する返送工程と、この返送工程により返送されるスレーブの保守用メニューの表示内容データに基づいて上記マスターの制御部に接続される操作用の端末にてスレーブの保守用メニューを表示する表示工程とを有する。
【００１３】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する第１の選択工程と、この第１の選択工程による選択により、スレーブの保守用メニューの表示内容データ要求コマンドを、マスターの制御部からスレーブの制御部へ送信する第１の送信工程と、この第１の送信工程の送信に応答して供給されるスレーブの保守用メニューの表示内容データに基づいて上記マスターの制御部に接続される操作用の端末にてスレーブの保守用メニューを表示する第１の表示工程と、この第１の表示工程により表示されるスレーブの保守用メニューとしてのスレーブでの実行機能を選択する第２の選択工程と、この第２の選択工程による選択により、スレーブの保守用メニューの選択項目の実行要求コマンドを、マスターの制御部からスレーブの制御部へ送信する第２の送信工程と、この第２の送信工程の送信に応答して供給されるスレーブの保守用メニューにおける選択項目の実行結果を上記マスターの制御部に接続される操作用の端末にて表示する第２の表示工程とを有する。
【００１４】
この発明は、通信用のインターフェースにより接続され、マスターとスレーブの関係を有する複数の制御部により構成され、各制御部に選択的に操作用の端末が接続されるものにおいて、上記マスターの制御部に接続される操作用の端末により、スレーブの制御部のメニュー画面データを選択する第１の選択工程と、この第１の選択工程による選択により、スレーブの保守用メニューの表示内容データ要求コマンドを、マスターの制御部からスレーブの制御部へ送信する第１の送信工程と、この第１の送信工程により供給されるスレーブの保守用メニューの表示内容データ要求コマンドに基づいてあらかじめ記憶されている保守用メニューの表示内容データを読出し、スレーブの制御部からマスターの制御部へ返送する第１の返送工程と、この第１の返送工程により返送されるスレーブの保守用メニューの表示内容データに基づいて上記マスターの制御部に接続される操作用の端末にてスレーブの保守用メニューを表示する第１の表示工程と、この第１の表示工程により表示されるスレーブの保守用メニューとしてのスレーブでの実行機能を選択する第２の選択工程と、この第２の選択工程による選択により、スレーブの保守用メニューの選択項目の実行要求コマンドを、マスターの制御部からスレーブの制御部へ送信する第２の送信工程と、この第２の送信工程により供給されるスレーブの保守用メニューの選択項目の実行要求コマンドに基づいて保守用メニューにおける項目に対応する機能を実行し、この実行結果をレスポンスとしてスレーブの制御部からマスターの制御部へ返送する第２の返送工程と、この第２の返送工程により返送されるスレーブの保守用メニューにおける選択項目の実行結果を上記マスターの制御部に接続される操作用の端末にて表示する第２の表示工程とを有する。
【発明の効果】
【００１５】
上記したように、同じ内容の情報がシステム内の各制御部に散在し、この情報に変更が生じればそれが上位にまで及ぶ問題を解消することができるシステムとシステムにおける端末の画面表示方法を提供できる。
【発明を実施するための最良の形態】
【００１６】
以下に、通信用Ｉ／Ｆでスター接続およびカスケード接続された複数の制御部により装置全体を制御するシステムの構成例を記載する。（図１）
このシステムは、図１に示すように、内部機能的・論理的にユニット分けがされており、それぞれをα部、β部と呼ぶ。α部には制御部Ｂならびに制御部Ｄがあり、α部はこれら２つの制御部によって制御される。β部には制御部Ｃがあり、β部はこれによって制御される。
【００１７】
システム内の複数の制御部はそれぞれが通信用Ｉ／Ｆ（ＵＳＢ、ＲＳ−２３２Ｃ等）にて接続される。制御部Ｂおよび制御部Ｃは制御部Ａに対しそれぞれ別個のＩ／Ｆで接続され、制御部Ａのスレーブとして機能する。制御部Ｄは制御部Ｂに対し接続され、制御部Ｂのスレーブとして機能する。マスターによるコマンド送信に対しスレーブによるレスポンス返信、という関係で接続されるならハード的・ソフト的にＩ／Ｆの種別は問わない。
【００１８】
このような各制御部の接続関係により、制御部Ａはスレーブとして接続される各制御部を統括制御しシステム全体を機能させる。
【００１９】
たとえば全体が通帳処理システムであり、印刷ユニット、スキャナユニット、頁捲りユニット、データの記憶ユニット等により構成され、全体を制御する制御部と各ユニットをそれぞれ制御する制御部が接続されている。
【００２０】
上記のような処理システムにおいて、図２に示すように、マスターとなる制御部（Ａ）１に対しスレーブの関係にある制御部（Ｂ）２、（Ｃ）３が接続され、制御部（Ｂ）２に対しスレーブの関係にある制御部（Ｄ）４が接続されている。さらに、制御部（Ａ）１、（Ｂ）２、（Ｃ）３、（Ｄ）４に対してそれぞれ操作用の端末（パーソナルコンピュータ）５、６、７、８が選択的に接続されるようになっている。
【００２１】
すなわち、保守サービス業務等のために、制御部（Ａ）１に対して操作用の端末（パーソナルコンピュータ）５を接続し、その端末５から調整およびテスト動作などを実行させるための動作について、図３乃至図５を用いて説明する。図３、図４は、メニューを呼び出す場合について説明し、図５は保守用メニューによるコマンドを実行する場合について説明する。
【００２２】
たとえば、端末５により保守モードが選択され、操作画面にて図６に示すような保守用メニューの選択画面が表示されている状態において（ＳＴ１）、「５．スレーブ保守用メニュー」を選択する（ＳＴ２）。この選択により、スレーブの保守用メニューの表示内容データ要求コマンドを、制御部（Ａ）１から制御部（Ｂ）２へ送信する（ＳＴ３）。この後、制御部（Ａ）１は制御部（Ｂ）２からのレスポンス待ちとなる（ＳＴ４）。
【００２３】
また、上記コマンドが送信された制御部（Ｂ）２は、メモリ部から保守用メニューの表示内容データを読出し（ＳＴ５）、この読出した保守用メニューの表示内容データをレスポンスとして上記制御部（Ａ）１に返送（返答）する（ＳＴ６）。
【００２４】
これにより、制御部（Ａ）１は、返送されたレスポンスの受信により、スレーブの保守用メニューの表示内容データを取得する（ＳＴ７）。この取得したスレーブの保守用メニューの表示内容データに基づいて、端末５の操作画面により、図７に示すようなスレーブ用の保守用メニューが表示される（ＳＴ８）。このメニューの各選択項目はスレーブ側の機能となっている。
【００２５】
次に、上記ステップ８の操作画面の表示状態において、項目３の「３．ＣＣＣＣＣＣ」を選択する（ＳＴ９）。この選択により、スレーブの保守用メニューの選択項目の実行要求コマンドを、制御部（Ａ）１から制御部（Ｂ）２へ送信する（ＳＴ１０）。この後、制御部（Ａ）１は制御部（Ｂ）２からのレスポンス待ちとなる（ＳＴ１１）。
【００２６】
また、上記コマンドが送信された制御部（Ｂ）２は、コマンドにより実行要求された保守用メニューにおける項目に対応する機能を実行し（ＳＴ１２）、この実行結果をレスポンス（正常終了、異常終了）として上記制御部（Ａ）１に返送（返答）する（ＳＴ１３）。
【００２７】
これにより、制御部（Ａ）１は、返送されたレスポンスの受信により、スレーブの保守用メニューの選択項目の実行結果を取得する（ＳＴ１４）。この取得したスレーブの保守用メニューの選択項目の実行結果が、端末５の操作画面にて図８に示すように表示される（ＳＴ１５）
この後、上記ステップ８の操作画面の表示状態に戻る（ＳＴ１６）。
【００２８】
また、端末５により保守モードが選択され、操作画面にて図９に示すような保守用メニューの選択画面が表示されている状態において（ＳＴ２１）、「６．スレーブ情報表示」を選択する（ＳＴ２２）。この選択により、スレーブが持つ引用向けの表示内容データ要求コマンドを、制御部（Ａ）１から制御部（Ｂ）２へ送信する（ＳＴ２３）。この後、制御部（Ａ）１は制御部（Ｂ）２からのレスポンス待ちとなる（ＳＴ２４）。
【００２９】
また、上記コマンドが送信された制御部（Ｂ）２は、メモリ部からマスター引用向け表示内容データを読出し（ＳＴ２５）、この読出したマスター引用向け表示内容データをレスポンスとして上記制御部（Ａ）１に返送（返答）する（ＳＴ２６）。
【００３０】
これにより、制御部（Ａ）１は、返送されたレスポンスの受信により、スレーブ引用向け表示内容データを取得する（ＳＴ２７）。この取得したスレーブ引用向けの表示内容データに基づいて、端末５の操作画面により、図１０に示すようなスレーブ情報選択画面が表示される（ＳＴ２８）。
【００３１】
上記のような処理システムにおいて、図２に示すように、マスターとなる制御部（Ａ）１に対しスレーブの関係にある制御部（Ｂ）２が接続され、この制御部（Ｂ）２をマスターとするスレーブの関係にある制御部（Ｄ）４が接続され、保守サービス業務等のために、制御部（Ａ）１に対して操作用の端末（パーソナルコンピュター）５を接続し、その端末５から調整およびテスト動作などを実行させるための動作について、図１１、図１２を用いて説明する。
【００３２】
たとえば、端末５により保守モードが選択され、操作画面にて図９に示すような保守用メニューの選択画面が表示されている状態において（ＳＴ３１）、「５．スレーブ保守用メニュー」を選択する（ＳＴ３２）。この選択により、スレーブの保守用メニューの表示内容データ要求コマンドを、制御部（Ａ）１から制御部（Ｂ）２へ送信する（ＳＴ３３）。この後、制御部（Ａ）１は制御部（Ｂ）２からのレスポンス待ちとなる（ＳＴ３４）。
【００３３】
また、上記コマンドが送信された制御部（Ｂ）２は、メモリ部から保守用メニューの表示内容データを読出し（ＳＴ３５）、この読出した保守用メニューの表示内容データをレスポンスとして上記制御部（Ａ）１に返送（返答）する（ＳＴ３６）。
【００３４】
これにより、制御部（Ａ）１は、返送されたレスポンスの受信により（ＳＴ３７）、スレーブの保守用メニューの表示内容データを取得する（ＳＴ３８）。この取得したスレーブの保守用メニューの表示内容データに基づいて、端末５の操作画面により、図１３に示すようなスレーブ用の保守用メニューが表示される（ＳＴ３９）。このメニューの各選択項目はスレーブ側の機能と、次段（下層）の階層におけるスレーブの保守用メニューの表示機能とからなっている。
【００３５】
次に、上記ステップ３９の操作画面の表示状態において、項目６の「６．スレーブ保守用メニュー」を選択する（ＳＴ４０）。この選択により、スレーブの保守用メニューの選択項目の実行要求コマンドを、制御部（Ａ）１から制御部（Ｂ）２を介して制御部（Ｄ）４へ送信する（ＳＴ４１、４２）。この後、制御部（Ａ）１は制御部（Ｂ）２からのレスポンス待ちとなる（ＳＴ４３）。
【００３６】
また、上記コマンドが送信された制御部（Ｄ）４は、メモリ部から保守用メニューの表示内容データを読出し（ＳＴ４４）、この読出した保守用メニューの表示内容データをレスポンスとして上記制御部（Ｂ）２を介して制御部（Ａ）１に返送（返答）する（ＳＴ４５、４６）。
【００３７】
これにより、制御部（Ａ）１は、返送されたレスポンスの受信により（ＳＴ４７）、スレーブの保守用メニューの表示内容データを取得する（ＳＴ４８）。この取得したスレーブの保守用メニューの表示内容データに基づいて、端末５の操作画面により、図１４に示すような次段スレーブの保守用メニューが表示される（ＳＴ４９）。このメニューの各選択項目は次段のスレーブ側としての制御部（Ｄ）４の機能となっている。
【００３８】
次に、上記ステップ４９の操作画面の表示状態において、項目３の「３．ＨＨＨＨＨＨ」を選択する（ＳＴ５０）。この選択により、次段スレーブの保守用メニューの選択項目の実行要求コマンドを、制御部（Ａ）１から制御部（Ｂ）２を介して制御部（Ｄ）４へ送信する（ＳＴ５１、５２）。この後、制御部（Ａ）１は制御部（Ｂ）２からの制御部（Ｄ）４のレスポンス待ちとなる（ＳＴ５３）。
【００３９】
また、上記コマンドが送信された制御部（Ｄ）４は、コマンドにより実行要求された保守用メニューにおける項目に対応する機能を実行し（ＳＴ５４）、この実行結果をレスポンス（正常終了、異常終了）として上記制御部（Ｂ）２を介して制御部（Ａ）１に返送（返答）する（ＳＴ５５、５６）。
【００４０】
これにより、制御部（Ａ）１は、返送されたレスポンスの受信により（ＳＴ５７）、次段スレーブの保守用メニューの選択項目の実行結果を取得する（ＳＴ５８）。この取得した次段スレーブの保守用メニューの選択項目の実行結果が表示される（ＳＴ５９）。
【００４１】
この後、上記ステップ４９の操作画面の表示状態に戻る（ＳＴ６０）。
【００４２】
上記したように、マスター側の制御部が保守サービス用メニューの表示において必要とした場合、スレーブ側の制御部が保持する表示内容データを、マスター側の制御部によるコマンド要求へ対するスレーブ側の制御部からのレスポンス返答という形式にて、マスター側の制御部は取得できる。
【００４３】
これにより、マスター側スレーブ側を問わず、ある制御部に関係してそれが有する表示内容データは、その制御部のみが有していればよい。
【００４４】
すなわち、マスター側スレーブ側を問わず、ある制御部が有する表示内容データは、それと同様の内容をマスター側である上位の制御部に持たせる必要がない。
【００４５】
この結果、各々の制御部において、他の制御部に関わる表示内容データを持つ必要がないため、同じデータがシステム内で散在しないようにできる。
【００４６】
また、ある制御部において、表示内容データに変更が生じても、他の制御部の表示内容データを修正する必要がないようにできる。
【００４７】
各々の制御部において、同じ表示内容データが散在せず、必要に応じてマスター側の制御部に対して転送されるため、マスター側およびスレーブ側で表示内容の相違が生じないようにできる。
【図面の簡単な説明】
【００４８】
【図１】この発明の一実施形態を説明するためのシステムの概略構成を示すブロック図。
【図２】システムの概略構成を示すブロック図。
【図３】マスター制御部の要求によりスレーブ制御部から取得したメニューをマスター制御部に接続される端末により画面表示する際の処理を説明するための図。
【図４】マスター制御部の要求によりスレーブ制御部から取得したメニューをマスター制御部に接続される端末により画面表示する際の処理を説明するための図。
【図５】マスター制御部の要求によりスレーブ制御部から取得したメニューをマスター制御部に接続される端末により画面表示する際の処理を説明するための図。
【図６】保守用メニュー表示画面を説明するための図。
【図７】保守用メニュー表示画面を説明するための図。
【図８】選択項目表示画面を説明するための図。
【図９】保守用メニュー表示画面を説明するための図。
【図１０】保守用メニュー表示画面を説明するための図。
【図１１】マスター制御部の要求により次段のスレーブ制御部から取得したメニューをマスター制御部に接続される端末により画面表示する際の処理を説明するための図。
【図１２】マスター制御部の要求により次段のスレーブ制御部から取得したメニューをマスター制御部に接続される端末により画面表示する際の処理を説明するための図。
【図１３】保守用メニュー表示画面を説明するための図。
【図１４】保守用メニュー表示画面を説明するための図。
【符号の説明】
【００４９】
１〜４…制御部、  ５〜８…端末
【図１】
2007058761.tif 000003
【図２】
2007058761.tif 000004
【図３】
2007058761.tif 000005
【図４】
2007058761.tif 000006
【図５】
2007058761.tif 000007
【図６】
2007058761.tif 000008
【図７】
2007058761.tif 000009
【図８】
2007058761.tif 000010
【図９】
2007058761.tif 000011
【図１０】
2007058761.tif 000012
【図１１】
2007058761.tif 000013
【図１２】
2007058761.tif 000014
【図１３】
2007058761.tif 000015
【図１４】
2007058761.tif 000016